(57)【特許請求の範囲】
【請求項１】
内部の制御装置が０系制御装置と１系制御装置からなる２重化構成とされたリモート交換機が、Ｖ５インタフェースで接続されたホスト交換機から系切り替え指示データとして定められてＬＡＰＶ５プロトコル上のレイヤ２確立時に送信された第１の特定のメッセージを受信する第１のステップと、
前記第１の特定のメッセージを受信した前記リモート交換機が、該第１の特定のメッセージの値に応じて、前記０系制御装置又は前記１系制御装置をアクト側に切り替える第２のステップと、
前記ホスト交換機から状態読み取り指示データとして定められて送信されたレイヤ２のリンク上を運ばれるＬＡＰＶ５プロトコル上のレイヤ３の第２の特定のメッセージを受信する第３のステップと、
前記第２の特定のメッセージを受信した前記リモート交換機内のアクト系状態にある前記０系制御装置又は前記１系制御装置が、アクト系状態である制御装置及び障害情報を含む情報を前記第２の特定メッセージにのせて前記ホスト交換機へ応答送信する第４のステップと
を含むことを特徴とするリモート交換機の系切り替え方法。
【請求項２】
単一のホスト交換機と、該ホスト交換機内のＶ５関連メッセージの一又は二以上の終端装置に対応してＶ５インタフェースで接続された一又は二以上のリモート交換機とよりなり、該リモート交換機はそれぞれ内部の制御装置が０系制御装置と１系制御装置からなる２重化構成とされると共に、一又は二以上の加入者電話機を収容する交換機システムにおいて、
前記ホスト交換機は、前記一又は二以上のリモート交換機のうち、系切り替えを行う必要性があるリモート交換機に対して、ＬＡＰＶ５プロトコル上のレイヤ２確立時に送信される第１の特定のメッセージを系切り替え指示データとして定めて送信する第１の送信手段と、前記第１の特定のメッセージ送信後に、レイヤ２のリンク上を運ばれるＬＡＰＶ５プロトコル上のレイヤ３の第２の特定のメッセージを状態読み取り指示データとして定めて送信する第２の送信手段とを備え、
前記リモート交換機は、前記第１の特定のメッセージを受信したときは、該第１の特定のメッセージの値に応じて、前記０系制御装置又は前記１系制御装置をアクト側に切り替える切替手段と、前記第２の特定のメッセージを受信したときは、アクト系状態にある前記０系制御装置又は前記１系制御装置が、アクト系状態である制御装置及び障害情報を含む情報を前記第２の特定メッセージにのせて前記ホスト交換機へ応答送信する応答送信手段とを備えることを特徴とする交換機システム。
【発明の詳細な説明】
【０００１】
【発明の属する技術分野】
本発明はリモート交換機の系切り替え方法及び交換機システムに係り、特にＶ５インタフェースで規定するデータリンクレイヤ（ＬＡＰＶ５）プロトコルを用いてホスト交換機に接続されるリモート交換機の系切り替え方法及び交換機システムに関する。
【０００２】
【従来の技術】
従来、一又は二以上の加入者電話機を収容するリモート交換機（ＡＮ：Ａｃｃｅｓｓ  Ｎｅｔｗｏｒｋ）が、ホスト交換機（ＬＥ：Ｌｏｃａｌ  Ｅｘｃｈａｎｇｅ）にＶ５インタフェースで接続された交換機システムが知られている。ここで、Ｖ５インタフェースは、欧州電気通信標準化協会（Ｅｕｒｏｐｅａｎ  Ｔｅｌｅｃｏｍｍｕｎｉｃａｔｉｏｎｓ  Ｓｔａｎｄａｒｄ  Ｉｎｓｔｉｔｕｔｅ）が発行する規格書ＥＴＳ  ３００  ３２４−１及びＥＴＳ  ３００  ３４７−１に規定されたインタフェース仕様であり、また、国際電気通信連合電気通信標準化部門（ＩＴＵ−Ｔ）勧告Ｇ９６４とＧ９６５に規定されたインタフェース仕様であり、Ｖ５．１とＶ５．２とからなる。
【０００３】
上記のリモート交換機（ＡＮ）には、そのＡＮが収容する加入者電話機（加入者端末）の回線の種類（アナログ回線又はディジタル回線）その他の情報が蓄積されている。また、ホスト交換機（ＬＥ）には、そのＬＥが接続されるすべてのＡＮが有する加入者端末情報が蓄積されている。これらＡＮとＬＥとの間では、各々６４ｋｂｐｓであるタイムスロット３２個を基本単位とするＶ５インタフェースで、音声データなどのディジタルデータを伝送する。また、制御データは、特定のタイムスロット（コミュニケーションチャネル）で伝送される。
【０００４】
上記のＡＮとＬＥとがＶ５インタフェースで接続された交換機システムにおいて、ＡＮの制御装置が２重化の場合、この２重化装置系切り替えは、ＡＮでアクト側制御装置の障害を検出した場合に系切り替えを行うか、ＡＮが設置されている場所まで保守員が赴き、ＡＮに取り付けられている系切り替えボタンを直接押して系切り替えを行っている。
【０００５】
【発明が解決しようとする課題】
しかるに、上記の従来のリモート交換機の系切り替え方法及び交換機システムでは、ホスト交換機（ＬＥ）側からリモート交換機（ＡＮ）の制御装置の系切り替え指示ができないため、ホスト交換機側（ＬＥ）の保守員がリモート交換機（ＡＮ）の制御装置の系切り替えを行う必要が発生しても、遠隔地にあるリモート交換機（ＡＮ）が設置されている場所までわざわざ出向かなければ系切り替えを行えず、また、リモート交換機（ＡＮ）の制御装置を自動で定期的に（例えば毎日夜間に）系切り替えを行えない等の問題がある。
【０００６】
本発明は以上の点に鑑みなされたもので、リモート交換機の２重化された制御装置に対して、ホスト交換機からのＥＴＳ  ３００  ３２４−１（Ｖ５．１）及びＥＴＳ  ３００  ３４７−１（Ｖ５．２）で規定するデータリンクレイヤ（ＬＡＰＶ５）プロトコルで制御することにより、系切り替えを可能にし得るリモート交換機の系切り替え方法及び交換機システムを提供することを目的とする。
【００１１】
【課題を解決するための手段】
上記の目的を達成するため、本発明のリモート交換機の系切り替え方法は、内部の制御装置が０系制御装置と１系制御装置からなる２重化構成とされたリモート交換機が、Ｖ５インタフェースで接続されたホスト交換機から系切り替え指示データとして定められてＬＡＰＶ５プロトコル上のレイヤ２確立時に送信された第１の特定のメッセージを受信する第１のステップと、第１の特定のメッセージを受信したリモート交換機が、第１の特定のメッセージの値に応じて、０系制御装置又は１系制御装置をアクト側に切り替える第２のステップと、ホスト交換機から状態読み取り指示データとして定められて送信されたレイヤ２のリンク上を運ばれるＬＡＰＶ５プロトコル上のレイヤ３の第２の特定のメッセージを受信する第３のステップと、第２の特定のメッセージを受信したリモート交換機内のアクト系状態にある０系制御装置又は１系制御装置が、アクト系状態である制御装置及び障害情報を含む情報を第２の特定メッセージにのせてホスト交換機へ応答送信する第４のステップとを含むことを特徴とする。
【００１２】
また、上記の目的を達成するため、本発明交換機システムは、単一のホスト交換機と、ホスト交換機内のＶ５関連メッセージの一又は二以上の終端装置に対応してＶ５インタフェースで接続された一又は二以上のリモート交換機とよりなり、リモート交換機はそれぞれ内部の制御装置が０系制御装置と１系制御装置からなる２重化構成とされると共に、一又は二以上の加入者電話機を収容する交換機システムにおいて、ホスト交換機は、一又は二以上のリモート交換機のうち、系切り替えを行う必要性があるリモート交換機に対して、ＬＡＰＶ５プロトコル上のレイヤ２確立時に送信される第１の特定のメッセージを系切り替え指示データとして定めて送信する第１の送信手段と、第１の特定のメッセージ送信後に、レイヤ２のリンク上を運ばれるＬＡＰＶ５プロトコル上のレイヤ３の第２の特定のメッセージを状態読み取り指示データとして定めて送信する第２の送信手段とを備え、リモート交換機は、第１の特定のメッセージを受信したときは、第１の特定のメッセージの値に応じて、０系制御装置又は１系制御装置をアクト側に切り替える切替手段と、第２の特定のメッセージを受信したときは、アクト系状態にある０系制御装置又は１系制御装置が、アクト系状態である制御装置及び障害情報を含む情報を第２の特定メッセージにのせてホスト交換機へ応答送信する応答送信手段とを備える構成としたものである。
【００１３】
上記の本発明のリモート交換機の系切り替え方法及び交換機システムでは、レイヤ２の確立時に送信される系切り替え指示データの送信後に、レイヤ２のリンク上を運ばれるＬＡＰＶ５プロトコル上のレイヤ３の第２の特定のメッセージを状態読み取り指示データとして定めて送信し、リモート交換機が第２の特定のメッセージを受信したときは、アクト系状態にある０系制御装置又は１系制御装置が、アクト系状態である制御装置及び障害情報を含む情報を第２の特定メッセージにのせてホスト交換機へ応答送信する。
【００１４】
【発明の実施の形態】
次に、本発明の一実施の形態について、図面と共に説明する。図１は本発明になる交換機システムの一実施の形態のブロック図を示す。この実施の形態は、前述したＥＴＳ  ３００  ３２４−１（Ｖ５．１）及びＥＴＳ  ３００  ３４７−１（Ｖ５．２）で規定するデータリンクレイヤ（ＬＡＰＶ５）プロトコルを用いた交換機システムを示している。
【００１５】
図１において、ホスト交換機（ＬＥ）１は、Ｖ５関連メッセージの終端装置２と、Ｖ５インタフェースの制御を行うシステムマネージャ３と、通話路スイッチ４とより大略構成されている。なお、終端装置２は複数あり、他の終端装置が別のリモート交換機（ＡＮ）に接続されていてもよい。また、リモート交換機（ＡＮ）５は、ＬＡＰＶ５プロトコルを用いてホスト交換機（ＬＥ）１内でＬＡＰＶ５プロトコルを終端する装置２と接続されると共に、各々加入者電話機６１〜６ｊを収容している。
【００１６】
この交換機システムでは、ＬＥ１を制御しているシステムマネージャ３からの指示によって、リモート交換機５内のスイッチを切り替えることにより、同一リモート交換機５内に収容される他の加入者電話機に接続したり、ホスト交換機１内の通話路スイッチ４及びリモート交換機５内のスイッチを切り替えることにより、ホスト交換機１に搭載されているＶ５終端装置２と接続しているすべてのリモート交換機５が収容している加入者電話機に接続する。このようにして交換機としての機能を実現している。
【００１７】
図２は上記の交換機システム上でホスト交換機１とリモート交換機５間の通信を行う際に用いられるＬＡＰＶ５プロトコルで規定されたデータフォーマットの様式を示す。同図において、データフォーマット中、「ＥＦａｄｄｒ」とは、通信を行っているＬＥ１とＡＮ５の交換機間で取り決めたＩＳＤＮ（Ｉｎｔｅｇｒａｔｅｄ  Ｓｅｒｖｉｃｅｓ  Ｄｉｇｉｔａｌ  Ｎｅｔｗｏｒｋ）加入者に対する加入者識別番号や、アナログ加入者を制御する場合のＰＳＴＮ（Ｐｕｂｌｉｃ  Ｓｗｉｔｃｈｅｄ  Ｔｅｌｅｐｈｏｎｅ  Ｎｅｔｗｏｒｋ）シグナリングやＢＣＣ（Ｂｌｏｃｋ  Ｃｈｅｃｋ  Ｃｈａｒａｃｔｅｒ）プロトコル等のリンク識別番号である。
【００１８】
また、「ＤＬａｄｄｒ」は、ＩＳＤＮ加入者制御の場合に、上位層に提供するサービスの種類などを表すＳＡＰＩ（Ｓｅｒｖｉｃｅ  Ａｃｃｅｓｓ  Ｐｏｉｎｔ  Ｉｄｅｎｔｉｆｉｅｒ）と、個々の加入者電話機を示すＴＥＩ（Ｔｅｒｍｉｎａｌ  Ｅｎｄｐｏｉｎｔ  Ｉｄｅｎｔｉｆｉｅｒ）というデータに分かれ、ＥＦａｄｄｒで指定された加入者に対するサービスや電話機の特定情報を含んでいる。
【００１９】
また、「Ｃｏｎｔｒｏｌ」は、ＥＦａｄｄｒで指定された加入者に対してホスト交換機１からの指示情報を示している。「Ｉｎｆｏｒｍａｔｉｏｎ」は、Ｃｏｎｔｒｏｌで示された指示に関しての付加情報や、より上位レベルのレイヤの情報を含む。「ＦＣＳ」は、上記に示されたすべてのデータが正しいかどうかを示すためのチェック情報である。「ＦＬＡＧ」は、上記のすべてのデータの最初と最後を示す情報である。
【００２０】
図３は本発明になるリモート交換機の系切り替え方法の一実施の形態のリモート交換機の制御装置系切り替えを示す。同図において、リモート交換機５は、内部に０系制御装置７と１系制御装置８を持っており、ホスト交換機１内のＶ５関連メッセージ終端装置２から送出されるＶ５関連メッセージは、０系制御装置７と１系制御装置８の両方が受け取れる構成になっている。
【００２１】
また、リモート交換機５からホスト交換機１に送出されるＶ５関連メッセージは、アクト系状態の制御装置からのみ送出される構成になっている。図３では１系制御装置８がアクト系状態なので、１系制御装置８から、Ｖ５関連メッセージが送出されている。
【００２２】
図４は本発明におけるリモート交換機の０系制御装置のアクト指示を示す。同図に示すように、ＬＡＰＶ５プロトコルのデータフォーマットにおいて、ＥＦａｄｄｒとＤＬａｄｄｒがそれぞれ「８１７３」、Ｃｏｎｔｒｏｌが「１２７」という値をもつデータを、レイヤ２の０系制御装置のアクト指示データ１０として定義する。
【００２３】
システムマネージャ３は、Ｖ５関連メッセージ終端装置２に対して、０系制御装置７をアクト系状態にするオーダーを送出すると、Ｖ５関連メッセージ終端装置２は、ＬＡＰＶ５プロトコルにおいて、ＥＦａｄｄｒとＤＬａｄｄｒを「８１７３」、Ｃｏｎｔｒｏｌを「１２７」とした値をもつデータ１０を「０系制御装置のアクト指示データ」として、リモート交換機５に送出する。
【００２４】
上記の０系制御装置のアクト指示データ１０は、リモート交換機５内の０系制御装置７と１系制御装置８の両方で受信される。０系制御装置７は、０系制御装置のアクト指示データ１０を受信すると、自分がアクト系状態となりホスト交換機１とＶ５関連メッセージの送受信を開始する。また、１系制御装置８は、０系制御装置のアクト指示データ１０を受信すると、非アクト系状態になり、両系の制御装置７及び８が同時にアクト系状態になることを防止する。
【００２５】
図５は本発明におけるリモート交換機の１系制御装置のアクト指示を示す。同図に示すように、ＬＡＰＶ５プロトコルのデータフォーマットにおいて、ＥＦａｄｄｒとＤＬａｄｄｒがそれぞれ「８１７４」、Ｃｏｎｔｒｏｌが「１２７」という値をもつデータを、レイヤ２の１系制御装置のアクト指示データ１１として定義する。
【００２６】
システムマネージャ３は、Ｖ５関連メッセージ終端装置２に対して、１系制御装置８をアクト系状態にするオーダーを送出すると、Ｖ５関連メッセージ終端装置２は、ＬＡＰＶ５プロトコルにおいて、ＥＦａｄｄｒとＤＬａｄｄｒを「８１７４」、Ｃｏｎｔｒｏｌを「１２７」とした値をもつデータ１１を「１系制御装置のアクト指示データ」として、リモート交換機５に送出する。
【００２７】
上記の１系制御装置のアクト指示データ１１は、リモート交換機５内の０系制御装置７と１系制御装置８の両方で受信され、１系制御装置８は、１系制御装置のアクト指示データ１１を受信すると、自分がアクト系状態となりホスト交換機１とＶ５関連メッセージの送受信を開始する。また、０系制御装置７は、１系制御装置のアクト指示データ１１を受信すると、非アクト系状態になり、両系の制御装置７及び８が同時にアクト系状態になることを防止する。
【００２８】
図６は本発明におけるリモート交換機の状態読み取り指示の説明図を示す。同図に１２で示すように、「状態読み取り指示」はＬＡＰＶ５プロトコルにおいて、ＥＦａｄｄｒとＤＬａｄｄｒが「８１７５」の値をもつＬＡＰＶ５メッセージ上で運ばれるレイヤ３のメッセージと定義する。
【００２９】
前述した制御装置のアクト指示データに基づく系切り替え後に、システムマネージャ３は、Ｖ５関連メッセージ終端装置２に対して、リモート交換機５の制御装置の状態を読み取るオーダーを送出する。これにより、Ｖ５関連メッセージ終端装置２は、ＬＡＰＶ５プロトコルにおいて、ＥＦａｄｄｒとＤＬａｄｄｒが「８１７５」の値を持つＬＡＰＶ５メッセージのＩｎｆｏｒｍａｔｉｏｎに「状態読み取り指示」を乗せて、リモート交換機５へ送出する。
【００３０】
リモート交換機５の１系制御装置８は、アクト系状態のため、この状態読み取り指示を乗せたＬＡＰＶ５メッセージを受信すると、図６に１３で示すように、１系制御装置８がアクト系状態であること、１系制御装置８や０系制御装置７の障害情報等を、ＬＡＰＶ５プロトコルにおいて、ＥＦａｄｄｒとＤＬａｄｄｒが「８１７５」の値を持つＬＡＰＶ５メッセージのＩｎｆｏｒｍａｔｉｏｎに乗せた応答メッセージをホスト交換機５へ返送する。
【００３１】
このように、本実施の形態によれば、Ｖ５インターフェースでホスト交換機１に接続されたリモート交換機５に対して、リモート交換機５の２重化された制御装置７及び８の系切り替えを、ホスト交換機１からＶ５インターフェースで行うことができる。
【００３２】
なお、通常、ホスト交換機１からリモート交換機５へメッセージの送信を行うときには、レイヤ２のリンクを確立することが必要であるが、上記のアクト指示データ１０及び１１は、Ｃｏｎｔｒｏｌの値が「１２７」である”ＳＡＢＭＥ”というレイヤ２リンク確立時に送信されるメッセージであるため、このメッセージはリンクの確立しているか否かに関係なくリモート交換機５へ送信できる。
【００３３】
また、系切り替え後の状態読み取りは、系切り替え指示とは異なるレイヤ２のリンク上を運ばれるレイヤ３メッセージを割り当てるようにしたため、系切り替えに影響を与えず、状態を読み取ることができる。
【００３４】
なお、本発明は上記の実施の形態に限定されるものではなく、例えば、リンクが確立されている場合にＬＡＰＶ５の特定のメッセージをアクト指示データと定めて送信することも可能である。
【００３５】
【発明の効果】
以上説明したように、本発明によれば、ＬＡＰＶ５プロトコル上の特定のメッセージを系切り替え指示データとして定めてホスト交換機からリモート交換機へ送信し、リモート交換機において特定のメッセージの値に応じて、０系制御装置又は１系制御装置をアクト側に切り替えることにより、リモート交換機の設置場所まで行かなくてもホスト交換機からの制御によりリモート交換機の２重化構成の制御装置の系切り替え制御を行えるようにしたため、系切り替え制御の必要性が発生したときに直ちにリモート交換機の系切り替えができ、また、保守員が系切り替えしようとするリモート交換機の設置場所に出向く時間及び費用を省略できる。
【００３６】
また、本発明によれば、ホスト交換機から系切り替え指示データとして定められて送信される特定のメッセージとして、レイヤ２のリンク確立時に送信されるメッセージを受信するようにしたため、レイヤ２のリンクが確立していなくても系切り替え指示データをホスト交換機からリモート交換機へ送信してリモート交換機の２重化構成の制御装置の系切り替えができる。
【００３７】
更に、本発明によれば、レイヤ２の確立時に送信される系切り替え指示データの送信後に、レイヤ２のリンク上を運ばれるＬＡＰＶ５プロトコル上のレイヤ３の第２の特定のメッセージを状態読み取り指示データとして定めて送信し、リモート交換機が第２の特定のメッセージを受信したときは、アクト系状態にある０系制御装置又は１系制御装置が、アクト系状態である制御装置及び障害情報を含む情報を第２の特定メッセージにのせてホスト交換機へ応答送信するようにしたため、系切り替えに影響を与えず、ホスト交換機はリモート交換機の状態を読み取ることができる。
【図面の簡単な説明】
【図１】本発明の交換機システムの一実施の形態のブロック図である。
【図２】Ｖ５インターフェース上で送受信されるＬＡＰＶ５（レイヤ２）メッセージのデータフォーマットを示す図である。
【図３】本発明におけるリモート交換機の制御装置系切り替え構成を示す図である。
【図４】本発明におけるリモート交換機の０系制御装置のアクト指示を示す図である。
【図５】本発明におけるリモート交換機の１系制御装置のアクト指示を示す図である。
【図６】本発明におけるリモート交換機の状態読み取り指示の説明図である。
【符号の説明】
１  ホスト交換機（ＬＥ：Ｌｏｃａｌ  Ｅｘｃｈａｎｇｅ）
２  Ｖ５関連メッセージの終端装置
３  システムマネージャ
４  通話路スイッチ
５  リモート交換機（ＡＮ：Ａｃｃｅｓｓ  Ｎｅｔｗｏｒｋ）
６１〜６ｊ  加入者電話機
７  ０系制御装置
８  １系制御装置
１０  ０系制御装置のアクト指示データ
１１  １系制御装置のアクト指示データ
【図１】
0003624851.tif 000002
【図２】
0003624851.tif 000003
【図３】
0003624851.tif 000004
【図４】
0003624851.tif 000005
【図５】
0003624851.tif 000006
【図６】
0003624851.tif 000007